(57)【要約】【課題】  電撃防止装置に設けられている第１開閉接点及び第２開閉接点が何らかの理由により溶着すると、作業者を電撃の危険から回避できない。【解決手段】  スイッチと、主変圧器と、主変圧器の無負荷電圧より低い無負荷電圧を出力し主変圧器に並列接続する補助変圧器と、スイッチと主変圧器の１次側との間に第１開閉接点を挿入しスイッチと補助変圧器の１次側との間に第２開閉接点を挿入する電磁開閉器と、通電すると第１開閉接点を閉にし第２開閉接点を開にし、通電が終了し第１の基準時間内に再度通電しないと第１開閉接点を開、第２開閉接点を閉にする溶接装置において、スイッチと主変圧器の１次側との間に保護用開閉接点を挿入する保護用電磁開閉器と、出力電圧値が電圧基準値より大きく、且つ第２の基準時間より長くなると保護用開閉接点を開にし主変圧器の２次側からの出力を停止する保護回路と、を備えた溶接装置である。【選択図】  図１
2013154397.tif 000002
【特許請求の範囲】
【請求項１】
商用交流電源を開閉するスイッチと、１次側に入力される前記商用交流電源を溶接電圧に変換し２次側から出力する主変圧器と、前記主変圧器の無負荷電圧より低い無負荷電圧を出力し前記主変圧器に並列接続される補助変圧器と、前記スイッチと前記主変圧器の１次側との間に常時開の第１開閉接点を挿入し前記スイッチと前記補助変圧器の１次側との間に常時閉の第２開閉接点を挿入する電磁開閉器と、溶接棒が被加工物に接触して電流が通電すると前記第１開閉接点を閉にし前記第２開閉接点を開にし、前記通電が終了して予め定めた第１の基準時間内に再度通電しないと前記第１開閉接点を開にし前記第２開閉接点を閉にする溶接装置において、
前記スイッチと前記主変圧器の１次側との間に常時閉の保護用開閉接点を挿入する保護用電磁開閉器と、前記溶接棒と前記被加工物との間に発生する電圧を検出し出力電圧検出信号として出力する出力電圧検出回路と、前記出力電圧検出信号の値が予め定めた電圧基準値より大きくなると共に予め定めた第２の基準時間より長くなったとき前記保護用電磁開閉器を駆動させて前記保護用開閉接点を開にして前記主変圧器の２次側からの出力を停止し、前記スイッチを開にすると前記保護用電磁開閉器の駆動が停止し前記保護用開閉接点を閉にする保護回路と、を備えた溶接装置。
【請求項２】
前記保護回路の第２の基準時間は、前記第１の基準時間より長い、ことを特徴とする請求項１記載の溶接装置。
【請求項３】
前記出力電圧検出回路と前記溶接棒との間に常時開の出力用開閉接点を挿入する出力用電磁開閉器と、１次側に入力される商用交流電源を予め定めた電圧に変換し２次側から前記出力用電磁開閉器に供給する第２の補助変圧器とを設け、前記保護回路は、前記出力電圧検出信号の値が前記電圧基準値より小さいとき前記出力用開閉接点を閉にし、前記出力電圧検出信号の値が前記電圧基準値より大きくなると前記出力用開閉接点を開にする、ことを特徴とする請求項１〜請求項２のいずれか１項に記載の溶接装置。
【請求項４】
前記出力電圧検出信号の値が前記電圧基準値より大きくなると点燈する表示燈を設けた、ことを特徴とする請求項３記載の溶接装置。
【発明の詳細な説明】
【技術分野】
【０００１】
本発明は、交流アーク溶接機と電撃防止装置とで形成する溶接装置の電撃防止装置に関するものである。
【背景技術】
【０００２】
交流アーク溶接機では無負荷電圧が高いため、溶接作業休止中は無負荷電圧を所定の低電圧に抑制する電撃防止装置を設け、作業者が感電しても危険のない様に保護していた。
【０００３】
図６は、電撃防止装置ＥＳを交流アーク溶接機に設けた従来技術の溶接装置であり、同図に示す主変圧器ＩＮＴ１は、溶接棒１と被加工物２との間に、例えば、８０Ｖの無負荷電圧を出力し、補助変圧器ＩＮＴ２は、溶接棒１に人が誤って接触しても人体に影響のない、例えば、約２０Ｖの無負荷電圧を出力し、溶接棒１と被加工物２との間に印加する。
【０００４】
図６に示す電撃防止装置ＥＳは、交流アーク溶接機の２次側に設けられた出力電流検出器ＣＴによって検出される出力電流に応じて、第１開閉接点ＭＳ１又は第２開閉接点ＭＳ２を開閉制御にする。
【０００５】
図７は、電撃防止装置を設けた従来技術の溶接装置の動作を説明する波形図である。図４において、同図（Ａ）は、図示省略のスイッチ開閉信号Ｓｗを示し、同図（Ｂ）は、出力電圧実効値Ｖａｖを示し、同図（Ｃ）は、出力電流検出信号Ｃｔを示し、同図（Ｄ）は、第１開閉接点駆動信号Ｍｓ１を示し、同図（Ｅ）は、第２開閉接点駆動信号Ｍｓ２を示す。
【０００６】
つぎに、電撃防止装置を設けた従来技術の溶接装置の動作について、図７に示す波形図を参照して説明する。図７（Ａ）に示す時刻ｔ＝ｔ１において、図示省略のスイッチ開閉信号ＳｗがＨｉｇｈレベルになると、スイッチＳＷが閉して商用交流電圧が供給される。このとき、第１開閉接点ＭＳ１は開、第２開閉接点ＭＳ２は閉のため、商用交流電圧が補助変圧器ＩＮＴ２の１次側に入力され、２次側には、例えば、約２０Ｖの無負荷電圧を出力し溶接棒１と被加工物２との間に印加する。
【０００７】
時刻ｔ＝ｔ２において、溶接棒１が被加工物２に接触して電流が通電すると電撃防止装置ＥＳは始動し、図６に示す第１開閉接点ＭＳ１は閉、第２開閉接点ＭＳ２を開にし、商用交流電圧ＡＣが主変圧器ＩＮＴ１の１次側に入力され２次側には、例えば、約８０Ｖの無負荷電圧が出力され溶接棒１と被加工物２との間に印加する。このとき、アークが発生し、図６に示す出力電流検出器ＣＴによって出力電流の検出を開始し、時刻ｔ＝ｔ３〜ｔ４のアークが発生している間、電撃防止装置ＥＳは第１開閉接点ＭＳ１の閉、第２開閉接点ＭＳ２の開を維持する。
【０００８】
時刻ｔ＝ｔ４において、アークが消弧して出力電流検出器ＣＴからの出力電流が略零になると、電撃防止装置ＥＳに内蔵されている図示省略のタイマが起動し、予め定めた第１の基準時間Ｔ１が経過する時刻ｔ＝ｔ５内において、電撃防止装置ＥＳに出力電流検出器ＣＴからの出力電流が再度入力されないと、第１開閉接点ＭＳ１を閉から開、第２開閉接点ＭＳ２を開から閉にして、例えば、約８０Ｖの無負荷電圧を約２０Ｖに降圧して人が誤って溶接棒１に接触しても人体に影響のないようにする。
【０００９】
特許文献１には、アークが消弧して予め定めた時間以内にアークが発生しないと、電撃防止装置ＥＳが第１開閉接点ＭＳ１を開することが開示されている。
【先行技術文献】
【特許文献】
【００１０】
【特許文献１】特開平５−６９１３５号公報
【発明の概要】
【発明が解決しようとする課題】
【００１１】
図６に示す交流アーク溶接機に設けられた電撃防止装置は、電磁開閉器の第１開閉接点及び第２開閉接点が正常に動作しているか否かを確認するために、電撃防止装置に図示省略の点検スイッチを設け、溶接作業事前に点検スイッチをオン、オフさせて第１開閉接点及び第２開閉接点が正常に開閉するか否かを図示省略の表示ランプの明暗を目視で確認していた。そして、アークが発生しているか否かを出力電流に基づいて検出し、アーク発生中に出力電流値が零になると共に予め定めた時間出力電流値が零を継続するとアークが消弧したと判別し、第１開閉接点を開にし、第２開閉接点を閉にして約８０Ｖの無負荷電圧を約２０Ｖに降圧することで人体に電撃の危険が無いようにしていた。
【００１２】
しかし、従来技術では、第１開閉接点及び第２開閉接点が正常に開閉するか否かの確認は、作業者が目視で溶接作業前に行う点検であり、溶接作業中に第１開閉接点及び第２開閉接点が何らかの理由により溶着すると、約８０Ｖの無負荷電圧を約２０Ｖに降圧できなくなり、作業者が電撃の危険から回避できなくなる。そこで、本発明では、上記の課題を解決する交流アーク溶接機を供給することを目的とする。
【課題を解決するための手段】
【００１３】
上述した課題を解決するために、第１の発明は、商用交流電源を開閉するスイッチと、１次側に入力される前記商用交流電源を溶接電圧に変換し２次側から出力する主変圧器と、前記主変圧器の無負荷電圧より低い無負荷電圧を出力し前記主変圧器に並列接続される補助変圧器と、前記スイッチと前記主変圧器の１次側との間に常時開の第１開閉接点を挿入し前記スイッチと前記補助変圧器の１次側との間に常時閉の第２開閉接点を挿入する電磁開閉器と、溶接棒が被加工物に接触して電流が通電すると前記第１開閉接点を閉にし前記第２開閉接点を開にし、前記通電が終了して予め定めた第１の基準時間内に再度通電しないと前記第１開閉接点を開にし前記第２開閉接点を閉にする溶接装置において、前記スイッチと前記主変圧器の１次側との間に常時閉の保護用開閉接点を挿入する保護用電磁開閉器と、前記溶接棒と前記被加工物との間に発生する電圧を検出し出力電圧検出信号として出力する出力電圧検出回路と、前記出力電圧検出信号の値が予め定めた電圧基準値より大きくなると共に予め定めた第２の基準時間より長くなったとき前記保護用電磁開閉器を駆動させて前記保護用開閉接点を開にして前記主変圧器の２次側からの出力を停止し、前記スイッチを開にすると前記保護用電磁開閉器の駆動が停止し前記保護用開閉接点を閉にする保護回路と、を備えた溶接装置である。
【００１４】
第２の発明は、前記保護回路の第２の基準時間は、前記第１の基準時間より長い、ことを特徴とする請求項１記載の溶接装置である。
【００１５】
第３の発明は、前記出力電圧検出回路と前記溶接棒との間に常時開の出力用開閉接点を挿入する出力用電磁開閉器と、１次側に入力される商用交流電源を予め定めた電圧に変換し２次側から前記出力用電磁開閉器に供給する第２の補助変圧器とを設け、前記保護回路は、前記出力電圧検出信号の値が前記電圧基準値より小さいとき前記出力用開閉接点を閉にし、前記出力電圧検出信号の値が前記電圧基準値より大きくなると前記出力用開閉接点を開にする、ことを特徴とする請求項１〜請求項２のいずれか１項に記載の溶接装置である。
【００１６】
第４の発明は、前記出力電圧検出信号の値が前記電圧基準値より大きくなると点燈する表示燈を設けた、ことを特徴とする請求項３記載の溶接装置である。
【発明の効果】
【００１７】
第１の発明及び第２の発明では、出力電圧を逐次監視し出力電圧の値が予め定めた電圧基準値より大きくなり、且つ、大きくなった出力電圧値が予め定めた基準時間より長くなったとき、電撃防止装置ＥＳに内蔵されている電磁開閉器に異常が発生したと判別し、スイッチＳＷと主変圧器ＩＮＴ１の１次側との間に挿入した保護用開閉接点ＭＣ１を開にして主変圧器ＩＮＴ１の１次側と商用交流電源との接続を遮断させるので、電撃防止装置に異常が発生しても、交流アーク溶接機の出力電圧が３０Ｖ以下に抑止でき、作業者が電撃の危険から回避できる。
【００１８】
第３の発明では、第１の発明の効果に加えて電撃防止装置ＥＳに内蔵されている電磁開閉器の第１開閉接点ＭＳ１が既に異常が発生し閉状態となり、この状態でスイッチＳＷをオンすると、出力電圧値が電圧基準値より大きくなり、出力用開閉接点ＭＶ１を開にして交流アーク溶接機の約８０Ｖの無負荷電圧を遮断し略零電圧にするので、電源起動時に作業者が電撃の危険から回避できる。
【００１９】
第４の発明では、電撃防止装置に異常が発生しとき表示燈が点燈し、作業者が視覚で異常を認識できるので電撃の危険から回避行動が素早く行える。
【図面の簡単な説明】
【００２０】
【図１】本発明の実施形態１に係る交流アーク溶接機の電気接続図である。
【図２】実施形態１の動作を説明する波形図である。
【図３】本発明の実施形態２に係る交流アーク溶接機の電気接続図である。
【図４】実施形態２の動作を説明する第１の波形図である。
【図５】実施形態２の動作を説明する第２の波形図である。
【図６】従来技術の交流アーク溶接機の電気接続図である。
【図７】従来技術の動作を説明する波形図である。
【発明を実施するための形態】
【００２１】
図１及び図２を参照して本発明の実施形態１の動作について説明する。
図１は、本発明の実施形態１に係る交流アーク溶接機の電気接続図である。同図において、図６に示す従来技術の交流アーク溶接機の電気接続図と同一符号の構成物は、同一動作を行うので説明は省略し、符号の相違する構成物についてのみ説明する。
【００２２】
図１に示す保護回路は、出力電圧検出回路ＶＤ、無負荷電圧判別回路ＶＭ、無負荷電圧保護回路ＶＡＤ及び異常検出用電磁開閉器ＣＲによって形成され、同図に示す出力電圧検出回路ＶＤは、図１に示す溶接棒１と被加工物２との間に印加される電圧を検出して出力電圧検出信号Ｖｄとして出力する。同図に示す無負荷電圧判別回路ＶＭは、出力電圧検出信号Ｖｄの交流電圧の実行値を算出し、この実行値が予め定めた電圧基準値より大きいとき無負荷電圧判別信号Ｖｍを出力する。
【００２３】
図１に示す無負荷電圧保護回路ＶＡＤは、無負荷電圧検出信号Ｖｍが予め定めた基準時間Ｔｔより長くなると異常検出用開閉接点ＣＲ２を閉にして、同図に示す保護用電磁開閉器ＭＣを駆動させて保護用開閉接点ＭＣ１を開にして主変圧器ＩＮＴ１の１次側を商用交流電源ＡＣから遮断する。また、無負荷電圧検出信号Ｖｍが基準時間Ｔｔより短いとき、保護用開閉接点ＭＣ１を閉にして主変圧器ＩＮＴ１の１次側と商用交流電源ＡＣとの接続を維持する。
【００２４】
図１に示す表示ランプＰＬは、電撃防止装置に異常が発生したとき点灯して作業者に知らせる。
【００２５】
図２は、実施形態１の動作を説明する波形図である。図２おいて、同図（Ａ）は、図示省略のスイッチ開閉信号Ｓｗを示し、同図（Ｂ）は、出力電圧実効値Ｖａｖを示し、同図（Ｃ）は、無負荷電圧検出信号Ｖｍを示し、同図（Ｄ）は、予め定めた第２の基準時間信号Ｔｔを示し、同図（Ｅ）は、図示省略の無負荷電圧保護信号Ｖａｄを示し、同図（Ｆ）は、出力電流検出信号Ｃｔを示し、同図（Ｇ）は、第１開閉接点駆動信号Ｍｓ１を示し、同図（Ｈ）は、第２開閉接点駆動信号Ｍｓ２を示す。
【００２６】
つぎに、本発明の溶接装置の動作について、図２の波形図を参照して説明する。図２（Ａ）に示す時刻ｔ＝ｔ１において、図示省略のスイッチ開閉信号ＳｗがＨｉｇｈレベルになると、スイッチＳＷが閉して商用交流電圧が供給される。このとき、同図（Ｇ）に示す第１開閉接点駆動信号Ｍｓ１はＬｏｗレベルのため第１開閉接点ＭＳ１は開、同図（Ｈ）に示す第２開閉接点駆動信号Ｍｓ２はＨｉｇｈレベルのため第２開閉接点ＭＳ２は閉になり、商用交流電圧が補助変圧器ＩＮＴ２の１次側に入力され、補助変圧器ＩＮＴ２の２次側に、例えば、約２０Ｖの無負荷電圧を出力して溶接棒１と被加工物２との間に印加する。
【００２７】
時刻ｔ＝ｔ２において、溶接棒１が被加工物２に接触して所定の電流が通電すると電撃防止装置ＥＳが始動し、同図（Ｇ）に示す第１開閉接点駆動信号Ｍｓ１をＨｉｇｈレベルにして第１開閉接点ＭＳ１は閉、同図（Ｈ）に示す第２開閉接点駆動信号Ｍｓ２をＬｏｗレベルにして第２開閉接点ＭＳ２を開にする。このとき、商用交流電圧が主変圧器ＩＮＴ１の１次側に入力され、例えば、約８０Ｖの無負荷電圧を出力し、溶接棒１と被加工物Ｍとの間に印加する。
【００２８】
時刻ｔ＝ｔ２において、溶接棒１が被加工物２に接触すると主変圧器ＩＮＴ１から本電流が通電してアークが発生すると、図１に示す出力電圧検出回路ＶＤは、アーク電圧を検出して出力電圧検出信号Ｖｄとして出力する。同図に示す無負荷電圧判別回路ＶＭは、出力電圧検出信号Ｖｄを入力として図２（Ｂ）に示す出力電圧実行値Ｖａｖを算出し、この出力電圧実行値Ｖａｖが予め定めた電圧基準値Ｖｒｅｆより大きいとき同図（Ｃ）に示す無負荷電圧判別信号Ｖｍを出力する。
【００２９】
図１に示す無負荷電圧保護回路ＶＡＤは、図２（Ｃ）に示す無負荷電圧検出信号Ｖｍの出力時間と同図（Ｄ）に示す基準時間信号Ｔｔの第２の基準時間Ｔ２と比較し、無負荷電圧検出信号Ｖｍの出力時間が基準時間Ｔ２より短いとき、異常検出用開閉接点ＣＲ２は開を維持し、保護用電磁開閉器ＭＣの保護用開閉接点ＭＣ１も異常検出用開閉接点ＣＲ２の開に応じて閉を維持する。そして、商用交流電圧が主変圧器ＩＮＴ１の１次側に供給されアークが発生すると時刻ｔ＝ｔ３以後は約３０Ｖのアーク電圧が発生する。
【００３０】
時刻ｔ＝ｔ４において、アークが消弧すると図２（Ｆ）に示す出力電流検出信号Ｃｔの値が零になり、電撃防止装置ＥＳは図示省略のタイマ回路を起動し、第１の基準時間時間Ｔ１が経過する時刻ｔ＝ｔ５内において、出力電流検出器ＣＴから再度出力電流が入力されないと、第１開閉接点ＭＳ１の閉から開、第２開閉接点ＭＳ２の開から閉にして、商用交流電圧が主変圧器ＩＮＴ１の１次側から補助変圧器ＩＮＴ２の１次側に切り換わって供給すると無負荷電圧は約８０Ｖから約２０Ｖに降圧する。しかし、何らかの原因で第１開閉接点ＭＳ１が溶着して開にならないと、無負荷電圧が降圧しなくなる。
【００３１】
時刻ｔ＝ｔ４において、無負荷電圧判別回路ＶＭは、出力電圧検出信号Ｖｄの値（約８０Ｖの無負荷電圧）の実行値と予め定めた電圧基準値Ｖｒｅｆとを比較し、実行値の値が電圧基準値Ｖｒｅｆより大きいとき同図（Ｃ）に示す無負荷電圧判別信号Ｖｍを出力する。
【００３２】
図１に示す無負荷電圧保護回路ＶＡＤは、図２（Ｃ）に示す無負荷電圧検出信号Ｖｍの出力時間と第１の基準時間Ｔ１より長い同図（Ｄ）に示す基準時間信号Ｔｔの第２の基準時間Ｔ２と比較し、無負荷電圧検出信号Ｖｍの出力時間が第２の基準時間Ｔ２より長くなる時刻ｔ＝ｔ６のとき、異常検出用電磁開閉器ＣＲを駆動させて第２の異常検出用開閉接点ＣＲ２を閉にし、保護用電磁開閉器ＭＣは、第２の異常検出用開閉接点ＣＲ２の閉に応じて保護用開閉接点ＭＣ１を開にする。そして、商用交流電圧が主変圧器ＩＮＴ１の１次側に供給するのを停止する。これにより電撃防止装置に異常が発生しても、作業者が電撃の危険から回避できる法令で定められている交流アーク溶接機の出力電圧が３０Ｖ以下に抑止できる。
【００３３】
図１に示す異常表示灯ＰＬを設けて無負荷電圧検出信号Ｖｍの出力時間が第２の基準時間Ｔ２より長いとき、異常表示灯ＰＬを点燈してもよい。
【００３４】
上述の電撃防止装置に異常が発生すると、異常検出用電磁開閉器ＣＲの動作を保持するため、異常解除（復帰）は、図１に示すスイッチＳＷをオフにする必要がある。
また、上述において、保護用開閉接点ＭＣ１をスイッチＳＷと主変圧器の１次側の他方との間に挿入しているが、保護用開閉接点ＭＣ１と第１開閉接点ＭＳ１とを直列に接続し、スイッチＳＷと主変圧器ＩＮＴ１の１次側の間に挿入してもよい。
【００３５】
「実施形態２」
つぎに、実施形態２の第１動作について、図３及び図４を用いて説明し、実施形態１と同一動作の説明は省略し、相違する動作についてのみ説明する。
図３に示す第２の保護回路は、出力電圧検出回路ＶＤ、無負荷電圧判別回路ＶＭ、無負荷電圧保護回路ＶＡＤ、異常検出用電磁開閉器ＣＲ、出力電圧用保護回路ＶＡ及び出力異常検出用電磁開閉器ＣＶによって形成されている。
【００３６】
図３に示す補助変圧器ＩＮＴ２は、商用交流電源を保護用開閉接点ＭＣ１を介して１次側に入力され、溶接棒１に人が誤って接触しても人体に影響のない、例えば、約２０Ｖの無負荷電圧を出力し、溶接棒１と被加工物２との間に印加する。また、第２の補助変圧器ＩＮＴ３は、１次側に入力される商用交流電源を出力用電磁開閉器ＭＶに応じた電圧に変換し２次側から出力する。
【００３７】
図３に示す出力電圧用保護回路ＶＡは、無負荷電圧判別信号Ｖｍが入力されないとき、出力異常検出用電磁開閉接点ＣＶ１を閉にする。出力用電磁開閉器ＭＶは、出力異常検出用電磁開閉接点ＣＶ１の閉に応じて出力用開閉接点ＭＶ１を閉にする。また、無負荷電圧判別信号Ｖｍが入力されているとき、出力異常検出用電磁開閉接点ＣＶ１を開にし、出力用電磁開閉器ＭＶは、出力異常検出用電磁開閉接点ＣＶ１の開に応じて出力用開閉接点ＭＶ１を開にして主変圧器ＩＮＴ１及び補助変圧器ＩＮＴ２の２次側の出力電圧を遮断する。
【００３８】
図４は、実施形態２の溶接電源装置の第１動作を説明する波形図である。
図４おいて、同図（Ａ）は、図示省略のスイッチ開閉信号Ｓｗを示し、同図（Ｂ）は、出力電圧実効値Ｖａｖを示し、同図（Ｃ）は、無負荷電圧検出信号Ｖｍを示し、同図（Ｄ）は、予め定めた第２の基準時間信号Ｔｔを示し、同図（Ｅ）は、図示省略の無負荷電圧保護信号Ｖａｄを示し、同図（Ｆ）は、出力電流検出信号Ｃｔを示し、同図（Ｇ）は、第１開閉接点駆動信号Ｍｓ１を示し、同図（Ｈ）は、第２開閉接点駆動信号Ｍｓ２を示し、同図（Ｉ）は、出力電圧用保護信号Ｖａを示す。
【００３９】
つぎに、実施形態２の溶接電源装置の第１動作について、図４の波形図を参照して説明する。図４（Ａ）に示す時刻ｔ＝ｔ１において、スイッチ開閉信号ＳｗがＨｉｇｈレベルになると、スイッチＳＷが閉になり商用交流電圧が供給される。このとき、同図（Ｇ）に示す第１開閉接点駆動信号Ｍｓ１はＬｏｗレベルのため第１開閉接点ＭＳ１は開、同図（Ｈ）に示す第２開閉接点駆動信号Ｍｓ２はＨｉｇｈレベルのため第２開閉接点ＭＳ２は閉になり、商用交流電圧が補助変圧器ＩＮＴ２の１次側に入力され、補助変圧器ＩＮＴ２の２次側に、例えば、約２０Ｖの無負荷電圧を出力して溶接棒１と被加工物２との間に印加する。
【００４０】
しかし、電撃防止装置ＥＳに内蔵されている電磁開閉器が既に異常状態のとき、スイッチＳＷをオンしたときに第１開閉接点ＭＳ１が開にならないと、無負荷電圧が降圧しなくなり、約８０Ｖの無負荷電圧が溶接棒１と被加工物Ｍとの間に印加する。
【００４１】
時刻ｔ＝ｔ１において、無負荷電圧判別回路ＶＭは、出力電圧検出信号Ｖｄの値（約８０Ｖの無負荷電圧）の実行値と電圧基準値Ｖｒｅｆとを比較し、実行値が電圧基準値Ｖｒｅｆより大きいとき、同図（Ｃ）に示す無負荷電圧判別信号ＶｍをＨｉｇｈレベルにして出力する。
【００４２】
図３に示す出力電圧用保護回路ＶＡは、図４（Ｃ）に示す無負荷電圧判別信号Ｖｍが時刻ｔ＝ｔ１のときＨｉｇｈレベルになると出力異常検出用電磁開閉接点ＣＶ１を開にする。そして、出力用電磁開閉器ＭＶは、出力異常検出用電磁開閉接点ＣＶ１の開に応じて常時開の出力用開閉接点ＭＶ１の開を維持する。そして、主変圧器ＩＮＴ１及び補助変圧器ＩＮＴ２の２次側の出力電圧を遮断し、溶接棒１と被加工物２との間の印加電圧が略零になる。
【００４３】
図３に示す無負荷電圧保護回路ＶＡＤは、図４（Ｃ）に示す無負荷電圧検出信号Ｖｍの出力時間と同図（Ｄ）に示す基準時間信号Ｔｔの第２の基準時間Ｔ２と比較し、無負荷電圧検出信号Ｖｍの出力時間が第２の基準時間Ｔ２より長くなる時刻ｔ＝ｔ２のとき、異常検出用電磁開閉器ＣＲを駆動させて第２の異常検出用開閉接点ＣＲ２を閉にする。このとき、保護用電磁開閉器ＭＣは、第２の異常検出用開閉接点ＣＲ２の閉に応じて保護用開閉接点ＭＣ１を開にする。そして、商用交流電圧が主変圧器ＩＮＴ１の１次側に供給するのを停止する。そして、電撃防止装置ＥＳの制御電源の供給も停止する。
【００４４】
つぎに、実施形態２の第２動作について、図３及び図５を用いて説明し、実施形態１と同一動作の説明は省略し、相違する動作についてのみ説明する。
【００４５】
図５に示す時刻ｔ＝ｔ４以前の動作は、図２に示す実施形態１と同一動作を行うので説明は省略し、時刻ｔ＝ｔ４以後の動作について説明する。
時刻ｔ＝ｔ４において、無負荷電圧判別回路ＶＭは、出力電圧検出信号Ｖｄの値（約８０Ｖの無負荷電圧）の実行値と電圧基準値Ｖｒｅｆとを比較し、実行値が電圧基準値Ｖｒｅｆより大きいとき図５（Ｃ）に示す無負荷電圧判別信号ＶｍをＨｉｇｈレベルにして出力する。
【００４６】
図３に示す出力電圧用保護回路ＶＡは、図５（Ｃ）に示す無負荷電圧判別信号Ｖｍが時刻ｔ＝ｔ４においてＨｉｇｈレベルになると出力異常検出用電磁開閉接点ＣＶ１を開にする。そして、出力用電磁開閉器ＭＶは、出力異常検出用電磁開閉接点ＣＶ１の開に応じて出力用開閉接点ＭＶ１を開にし、主変圧器ＩＮＴ１及び補助変圧器ＩＮＴ２の２次側の出力電圧を遮断し、溶接棒１と被加工物２との間の印加電圧を略零にする。
【００４７】
時刻ｔ＝ｔ４において、アークが消弧すると図５（Ｆ）に示す出力電流検出信号Ｃｔの値が零になり、電撃防止装置ＥＳは図示省略のタイマ回路を起動し、第１の基準時間時間Ｔ１が経過するまでの時刻ｔ＝ｔ５内において、出力電流検出器ＣＴからの出力電流が再度入力されないと、第１開閉接点ＭＳ１の閉から開、第２開閉接点ＭＳ２の開から閉にして、商用交流電圧が主変圧器ＩＮＴ１の１次側から補助変圧器ＩＮＴ２の１次側に切り換わって供給すると無負荷電圧は約８０Ｖから約２０Ｖに降圧する。しかし、何らかの原因で第１開閉接点ＭＳ１が溶着して開にならないと、主変圧器ＩＮＴ１の２次側の出力電圧が降圧しなくなる。
【００４８】
時刻ｔ＝ｔ４において、無負荷電圧判別回路ＶＭは、出力電圧検出信号Ｖｄの値（約８０Ｖの無負荷電圧）の実行値と電圧基準値Ｖｒｅｆとを比較し、実行値が電圧基準値Ｖｒｅｆより大きいとき図５（Ｃ）に示す無負荷電圧判別信号ＶｍをＨｉｇｈレベルにして出力する。
【００４９】
図３に示す無負荷電圧保護回路ＶＡＤは、図５（Ｃ）に示す無負荷電圧検出信号Ｖｍの出力時間と第１の基準時間Ｔ１より長い同図（Ｄ）に示す基準時間信号Ｔｔの第２の基準時間Ｔ２と比較し、無負荷電圧検出信号Ｖｍの出力時間が第２の基準時間Ｔ２より長くなる時刻ｔ＝ｔ６のとき、異常検出用電磁開閉器ＣＲを駆動させて第２の異常検出用開閉接点ＣＲ２を閉にし、保護用電磁開閉器ＭＣは、第２の異常検出用開閉接点ＣＲ２の閉に応じて保護用開閉接点ＭＣ１を開にする。そして、商用交流電圧が主変圧器ＩＮＴ１の１次側に供給するのを遮断する、と共に補助変圧器ＩＮＴ２の１次側にも商用交流電源の供給が遮断され、溶接棒１と被加工物２との間の印加電圧は略零になる。そして、電撃防止装置ＥＳの制御電源の供給も停止する。
【符号の説明】
【００５０】
１          溶接棒
２          被加工物
ＡＣ        商用交流電源
ＣＴ        出力電流検出器
Ｃｔ        出力電流検出信号
ＣＲ        異常検出用電磁開閉器
ＣＲ１      第１の異常検出用開閉接点
ＣＲ２      第２の異常検出用開閉接点
ＣＶ        出力異常検出用電磁開閉器
ＣＶ１      出力異常検出用電磁開閉接点
ＩＮＴ１    主変圧器
ＩＮＴ２    補助変圧器
ＭＣ        保護用電磁開閉器
ＭＣ１      保護用開閉接点
ＭＳ１      第１開閉接点
ＭＳ２      第２開閉接点
ＭＶ        出力用電磁開閉器
ＭＶ１      出力用開閉接点
ＰＬ        異常表示灯
ＳＷ        スイッチ
ＶＡ        出力電圧用保護回路
ＶＤ        出力電圧検出回路
Ｖｄ        出力電圧検出信号
ＶＭ        無負荷電圧判別回路
Ｖｍ        無負荷電圧判別信号
ＶＡＤ      無負荷電圧保護回路
Ｖａｄ      無負荷電圧保護信号
【図１】
2013154397.tif 000003
【図２】
2013154397.tif 000004
【図３】
2013154397.tif 000005
【図４】
2013154397.tif 000006
【図５】
2013154397.tif 000007
【図６】
2013154397.tif 000008
【図７】
2013154397.tif 000009